(57)【要約】【課題】同期再生することが可能な表示装置、表示システム、及び表示方法を提供する。【解決手段】プロジェクターであって、画像情報及びグループＩＤを記憶するＳＤカード２が接続される画像情報入力部と、画像情報に基づく画像３を表示するスクリーン４と、画像情報を記憶するＳＤカードを有する他のプロジェクター１とネットワークＮＷを介して接続され、他のプロジェクター１と通信を行う通信部と、通信部による通信に基づいて、グループＩＤに対応するグループＩＤがＳＤカードに記憶されているか否かを判別し、グループＩＤがＳＤカードに記憶されている場合に、スクリーン４による画像３の表示と、他のプロジェクターによる画像情報に基づく画像３の表示と、を同期させる制御部と、を備える。【選択図】図１
2020106580.tif 000002
【特許請求の範囲】
【請求項１】
表示装置であって、
第１画像情報及び第１識別子を記憶する第１記憶装置が接続されるインターフェイスと、
前記第１画像情報に基づく第１画像を表示する表示部と、
第２画像情報を記憶する第２記憶装置を有する他の表示装置とネットワークを介して接続され、前記他の表示装置と通信を行う通信部と、
前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記他の表示装置による前記第２画像情報に基づく第２画像の表示と、を同期させる制御部と、
を備えたことを特徴とする表示装置。
【請求項２】
請求項１に記載の表示装置であって、
前記制御部は、前記第２識別子が前記第１識別子と同一の場合に、前記第１画像の表示と前記第２画像の表示とを同期させることを特徴とする表示装置。
【請求項３】
請求項１又は請求項２に記載の表示装置であって、
前記制御部は、
前記表示装置がマスター機であるかスレーブ機であるかを決定し、
前記表示装置が前記マスター機である場合には、前記通信部から前記他の表示装置に第１同期信号を送信させるとともに、前記第１同期信号に同期して前記表示部に前記第１画像を表示させ、
前記表示装置が前記スレーブ機である場合には、前記他の表示装置から前記通信部に送信される第２同期信号に同期して、前記表示部に前記第１画像を表示させることを特徴とする表示装置。
【請求項４】
請求項３に記載の表示装置であって、
前記第１記憶装置及び前記第２記憶装置には、前記第１画像及び前記第２画像を表示するタイミングを規定するスケジュール情報が記憶されており、
前記表示装置が前記マスター機である場合に、前記制御部は、前記スケジュール情報に基づいて前記表示部に前記第１画像を表示させるとともに、前記スケジュール情報に基づいて前記第１同期信号を前記他の表示装置に送信することを特徴とする表示装置。
【請求項５】
請求項４に記載の表示装置であって、
前記表示装置が前記スレーブ機である場合であって、前記スケジュール情報に基づくタイミングで前記他の表示装置から前記第２同期信号が送信されない場合に、前記制御部は、前記表示装置が前記マスター機であるか前記スレーブ機であるかを決定し直すことを特徴とする表示装置。
【請求項６】
ネットワークを介して接続された第１表示装置及び第２表示装置を含む表示システムであって、
前記第１表示装置は、第１画像情報及び第１識別子を記憶する第１記憶装置が接続される第１インターフェイスを有し、
前記第２表示装置は、第２画像情報を記憶する第２記憶装置が接続される第２インターフェイスを有し、
前記第１表示装置は、
前記第１画像情報に基づく第１画像を表示する表示部と、
前記第２表示装置と前記ネットワークを介して通信を行う通信部と、
前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記第２表示装置による前記第２画像情報に基づく第２画像の表示とを同期させる制御部と、
を備えることを特徴とする表示システム。
【請求項７】
請求項６に記載の表示システムであって、
前記制御部は、前記第２識別子が前記第１識別子と同一の場合に、前記第１画像の表示と前記第２画像の表示とを同期させることを特徴とする表示システム。
【請求項８】
請求項６又は請求項７に記載の表示システムであって、
前記制御部は、
前記第１表示装置がマスター機であるかスレーブ機であるかを決定し、
前記第１表示装置が前記マスター機である場合には、前記通信部から前記第２表示装置に第１同期信号を送信させるとともに、前記第１同期信号に同期して前記表示部に前記第１画像を表示させ、
前記第１表示装置が前記スレーブ機である場合には、前記第２表示装置から前記通信部に送信される第２同期信号に同期して、前記表示部に前記第１画像を表示させることを特徴とする表示システム。
【請求項９】
請求項８に記載の表示システムであって、
前記第１記憶装置及び前記第２記憶装置には、前記第１画像及び前記第２画像を表示するタイミングを規定するスケジュール情報が記憶されており、
前記第１表示装置が前記マスター機である場合に、前記制御部は、前記スケジュール情報に基づいて前記表示部に前記第１画像を表示させるとともに、前記スケジュール情報に基づいて前記第１同期信号を前記第２表示装置に送信することを特徴とする表示システム。
【請求項１０】
請求項９に記載の表示システムであって、
前記第１表示装置が前記スレーブ機である場合であって、前記スケジュール情報に基づくタイミングで前記第２表示装置から前記第２同期信号が送信されない場合に、前記制御部は、前記第１表示装置が前記マスター機であるか前記スレーブ機であるかを決定し直すことを特徴とする表示システム。
【請求項１１】
表示装置による表示方法であって、
第１画像情報及び第１識別子を記憶する第１記憶装置が接続され、
第２画像情報を記憶する第２記憶装置を有する他の表示装置とネットワークを介して通信を行い、
前記第１識別子に対応する第２識別子が前記第２記憶装置に記憶されているか否かを判別し、
前記第２識別子が前記第２記憶装置に記憶されている場合に、前記第１画像情報に基づく第１画像の表示と、前記他の表示装置による前記第２画像情報に基づく第２画像の表示とを同期させることを特徴とする表示方法。
【請求項１２】
請求項１１に記載の表示方法であって、
前記第２識別子が前記第１識別子と同一の場合に、前記第１画像の表示と前記第２画像の表示とを同期させることを特徴とする表示方法。
【請求項１３】
請求項１１又は請求項１２に記載の表示方法であって、
前記表示装置がマスター機であるかスレーブ機であるかを決定し、
前記表示装置が前記マスター機である場合には、前記他の表示装置に第１同期信号を送信させるとともに、前記第１同期信号に同期して前記第１画像を表示させ、
前記表示装置が前記スレーブ機である場合には、前記他の表示装置から送信される第２同期信号に同期して、前記第１画像を表示させることを特徴とする表示方法。
【請求項１４】
請求項１３に記載の表示方法であって、
前記第１記憶装置及び前記第２記憶装置には、前記第１画像及び前記第２画像を表示するタイミングを規定するスケジュール情報が記憶されており、
前記表示装置が前記マスター機である場合に、前記スケジュール情報に基づいて前記第１画像を表示させるとともに、前記スケジュール情報に基づいて前記第１同期信号を前記他の表示装置に送信することを特徴とする表示方法。
【請求項１５】
請求項１４に記載の表示方法であって、
前記表示装置が前記スレーブ機である場合であって、前記スケジュール情報に基づくタイミングで前記他の表示装置から前記第２同期信号が送信されない場合に、前記表示装置が前記マスター機であるか前記スレーブ機であるかを決定し直すことを特徴とする表示方法。
【発明の詳細な説明】
【技術分野】
【０００１】
本発明は、表示装置、表示システム、及び表示方法に関する。
【背景技術】
【０００２】
ネットワークに接続された複数の表示装置の中から、所望の表示装置に画像を表示させることが可能なシステムが知られている。例えば、特許文献１には、ネットワークに接続された複数のプロジェクターのうち、同一の室内に設置されているプロジェクターを利用して表示システムとしてのマルチプロジェクションシステムを構築することが記載されている。
【先行技術文献】
【特許文献】
【０００３】
【特許文献１】特開２０１７−１３５４９０号公報
【発明の概要】
【発明が解決しようとする課題】
【０００４】
しかしながら、上記の表示システムでは、ネットワークに接続されている複数のプロジェクターの一覧がユーザーに提示され、ユーザーは、その中から所望のプロジェクターを選択する必要がある。このため、プロジェクターの交換、追加、削除がなされると、ユーザーは、その度に一覧のプロジェクターを選択し直す操作を行わなければならないため、ユーザーの利便性が損なわれてしまうという課題がある。
【課題を解決するための手段】
【０００５】
本願の表示装置は、表示装置であって、第１画像情報及び第１識別子を記憶する第１記憶装置が接続されるインターフェイスと、前記第１画像情報に基づく第１画像を表示する表示部と、第２画像情報を記憶する第２記憶装置を有する他の表示装置とネットワークを介して接続され、前記他の表示装置と通信を行う通信部と、前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記他の表示装置による前記第２画像情報に基づく第２画像の表示と、を同期させる制御部と、を備えたことを特徴とする。
【０００６】
上記の表示装置において、前記制御部は、前記第２識別子が前記第１識別子と同一の場合に、前記第１画像の表示と前記第２画像の表示とを同期させることが望ましい。
【０００７】
上記の表示装置において、前記制御部は、前記表示装置がマスター機であるかスレーブ機であるかを決定し、前記表示装置が前記マスター機である場合には、前記通信部から前記他の表示装置に第１同期信号を送信させるとともに、前記第１同期信号に同期して前記表示部に前記第１画像を表示させ、前記表示装置が前記スレーブ機である場合には、前記他の表示装置から前記通信部に送信される第２同期信号に同期して、前記表示部に前記第１画像を表示させることが望ましい。
【０００８】
上記の表示装置において、前記第１記憶装置及び前記第２記憶装置には、前記第１画像及び前記第２画像を表示するタイミングを規定するスケジュール情報が記憶されており、前記表示装置が前記マスター機である場合に、前記制御部は、前記スケジュール情報に基づいて前記表示部に前記第１画像を表示させるとともに、前記スケジュール情報に基づいて前記第１同期信号を前記他の表示装置に送信することが望ましい。
【０００９】
上記の表示装置において、前記表示装置が前記スレーブ機である場合であって、前記スケジュール情報に基づくタイミングで前記他の表示装置から前記第２同期信号が送信されない場合に、前記制御部は、前記表示装置が前記マスター機であるか前記スレーブ機であるかを決定し直すことが望ましい。
【００１０】
本願の表示システムは、ネットワークを介して接続された第１表示装置及び第２表示装置を含む表示システムであって、前記第１表示装置は、第１画像情報及び第１識別子を記憶する第１記憶装置が接続される第１インターフェイスを有し、前記第２表示装置は、第２画像情報を記憶する第２記憶装置が接続される第２インターフェイスを有し、前記第１表示装置は、前記第１画像情報に基づく第１画像を表示する表示部と、前記第２表示装置と前記ネットワークを介して通信を行う通信部と、前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記第２表示装置による前記第２画像情報に基づく第２画像の表示とを同期させる制御部と、を備えることを特徴とする。
【００１１】
上記の表示システムにおいて、前記制御部は、前記第２識別子が前記第１識別子と同一の場合に、前記第１画像の表示と前記第２画像の表示とを同期させることが望ましい。
【００１２】
上記の表示システムにおいて、前記制御部は、前記第１表示装置がマスター機であるかスレーブ機であるかを決定し、前記第１表示装置が前記マスター機である場合には、前記通信部から前記第２表示装置に第１同期信号を送信させるとともに、前記第１同期信号に同期して前記表示部に前記第１画像を表示させ、前記第１表示装置が前記スレーブ機である場合には、前記第２表示装置から前記通信部に送信される第２同期信号に同期して、前記表示部に前記第１画像を表示させることが望ましい。
【００１３】
上記の表示システムにおいて、前記第１記憶装置及び前記第２記憶装置には、前記第１画像及び前記第２画像を表示するタイミングを規定するスケジュール情報が記憶されており、前記第１表示装置が前記マスター機である場合に、前記制御部は、前記スケジュール情報に基づいて前記表示部に前記第１画像を表示させるとともに、前記スケジュール情報に基づいて前記第１同期信号を前記第２表示装置に送信することが望ましい。
【００１４】
上記の表示システムにおいて、前記第１表示装置が前記スレーブ機である場合であって、前記スケジュール情報に基づくタイミングで前記第２表示装置から前記第２同期信号が送信されない場合に、前記制御部は、前記第１表示装置が前記マスター機であるか前記スレーブ機であるかを決定し直すことが望ましい。
【００１５】
本願の表示方法は、第１画像情報及び第１識別子を記憶する第１記憶装置が接続され、第２画像情報を記憶する第２記憶装置を有する他の表示装置とネットワークを介して通信を行い、前記第１識別子に対応する第２識別子が前記第２記憶装置に記憶されているか否かを判別し、前記第２識別子が前記第２記憶装置に記憶されている場合に、前記第１画像情報に基づく第１画像の表示と、前記他の表示装置による前記第２画像情報に基づく第２画像の表示とを同期させることを特徴とする。
【００１６】
上記の表示方法において、前記第２識別子が前記第１識別子と同一の場合に、前記第１画像の表示と前記第２画像の表示とを同期させることが望ましい。
【００１７】
上記の表示方法において、前記表示装置がマスター機であるかスレーブ機であるかを決定し、前記表示装置が前記マスター機である場合には、前記他の表示装置に第１同期信号を送信させるとともに、前記第１同期信号に同期して前記第１画像を表示させ、前記表示装置が前記スレーブ機である場合には、前記他の表示装置から送信される第２同期信号に同期して、前記第１画像を表示させることが望ましい。
【００１８】
上記の表示方法において、前記第１記憶装置及び前記第２記憶装置には、前記第１画像及び前記第２画像を表示するタイミングを規定するスケジュール情報が記憶されており、前記表示装置が前記マスター機である場合に、前記スケジュール情報に基づいて前記第１画像を表示させるとともに、前記スケジュール情報に基づいて前記第１同期信号を前記他の表示装置に送信することが望ましい。
【００１９】
上記の表示方法において、前記表示装置が前記スレーブ機である場合であって、前記スケジュール情報に基づくタイミングで前記他の表示装置から前記第２同期信号が送信されない場合に、前記表示装置が前記マスター機であるか前記スレーブ機であるかを決定し直すことが望ましい。
【図面の簡単な説明】
【００２０】
【図１】本実施形態の表示システムの構成を示す概略斜視図。
【図２】表示装置としてのプロジェクターの構成を示すブロック図。
【図３】表示方法を示すフローチャート。
【図４】表示方法を示すフローチャート。
【図５】プレイリストの一例を示す表。
【図６】スケジュール情報の一例を示す表。
【発明を実施するための形態】
【００２１】
以下、実施形態の表示装置、表示システム、及び表示方法について、図面を参照して説明する。
【００２２】
図１は、本実施形態の表示システムの構成を示す概略斜視図である。以下、表示システムの構成を、図１を参照しながら説明する。
【００２３】
図１に示すように、表示システム１００は、表示装置としての複数のプロジェクター１ａ，１ｂ，１ｃが、ネットワークＮＷを介して通信可能に接続されて構成されている。具体的には、表示システム１００は、第１プロジェクター１ａと、第２プロジェクター１ｂと、第３プロジェクター１ｃと、を有して構成されている。
【００２４】
各プロジェクター１ａ，１ｂ，１ｃは、記憶媒体を装着するためのカードスロット５を備えており、本実施形態のカードスロット５には、ＳＤカード２ａ，２ｂ，２ｃが装着されている。ＳＤカード２ａ，２ｂ，２ｃは、不揮発性のメモリーを有する記憶媒体であり、プロジェクター１ａ，１ｂ，１ｃから投写する画像の画像情報等を記憶している。
【００２５】
第１プロジェクター１ａには、ＳＤカード２ａが装着されており、第１プロジェクター１ａは、ＳＤカード２ａに記憶された画像情報に基づいて、画像３ａをスクリーン４ａに投写する。第２プロジェクター１ｂには、ＳＤカード２ｂが装着されており、第２プロジェクター１ｂは、ＳＤカード２ｂに記憶された画像情報に基づいて、画像３ｂをスクリーン４ｂに投写する。第３プロジェクター１ｃには、ＳＤカード２ｃが装着されており、第３プロジェクター１ｃは、ＳＤカード２ｃに記憶された画像情報に基づいて、画像３ｃをスクリーン４ｃに投写する。
【００２６】
なお、ＳＤカード２に記憶されている画像情報に基づいて画像３を投写することは、「画像３を再生する」とも表記される。また、プロジェクター１ａ，１ｂ，１ｃは、互いに同様の構成を有しており、これらを区別しない場合には、プロジェクター１とも表記される。また、ＳＤカード２ａ，２ｂ，２ｃも互いに同様の構成を有しており、これらを区別しない場合には、ＳＤカード２とも表記される。また、本実施形態では、プロジェクター１ａ，１ｂ，１ｃは、同一の画像を同期して再生する。つまり、画像３ａ，３ｂ，３ｃは、同一の画像であり、これらを区別しない場合には、画像３とも表記される。また、画像３を同期して再生すること、即ち複数のプロジェクター１が画像３を同じタイミングで再生することは、「同期再生」とも表記される。
【００２７】
図２は、プロジェクターの構成を示すブロック図である。以下、プロジェクターの構成を、図２を参照しながら説明する。
【００２８】
図２に示すように、プロジェクター１は、制御部１０と、記憶部１１と、入力操作部１２と、インターフェイス１３と、画像情報処理部１４と、表示部としての投写部１５と、通信部１６と、計時部１７と、を備えて構成されている。プロジェクター１は、インターフェイス１３を介してＳＤカード２から読み出された画像情報に基づいて、投写部１５からスクリーン４に画像３を投写する。
【００２９】
制御部１０は、１つ又は複数のプロセッサーを備えて構成され、例えば、記憶部１１に記憶されている制御プログラムに従って動作することにより、プロジェクター１の動作を統括制御する。
【００３０】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。
【００３１】
入力操作部１２は、ユーザーがプロジェクター１に対して各種指示を行うための複数の操作キーを備えている。入力操作部１２が備える操作キーとしては、電源のＯＮとＯＦＦとを切り替えるための電源キー、各種設定を行うためのメニューを表示させるメニューキー、メニューの項目を選択するための方向キー、０〜９に対応する１０個の数字キー等がある。なお、遠隔操作が可能なリモコン（図示せず）を、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００３２】
インターフェイス１３は、カードスロット５に装着されたＳＤカード２と電気的に接続される。制御部１０は、インターフェイス１３を介してＳＤカード２に記憶されている画像情報や、その他の情報を読み出すことができる。制御部１０は、ＳＤカード２から画像情報を読み出した場合、読み出した画像情報を画像情報処理部１４に出力する。
【００３３】
画像情報処理部１４は、制御部１０から入力される画像情報に対して様々な処理を施し、処理後の画像情報を投写部１５のライトバルブ駆動部２０に出力する。例えば、画像情報処理部１４は、明るさやコントラスト等の画質を調整する処理等を必要に応じて画像情報に施す。
【００３４】
なお、画像情報処理部１４は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００３５】
通信部１６は、ＬＡＮ（Local Area Network）等のネットワークＮＷに接続されており、制御部１０の制御に基づいて、ネットワークＮＷを介して他のプロジェクター１と通信を行う。
【００３６】
計時部１７は、リアルタイムクロックであり、現在の日時を表す時刻情報を生成する。
【００３７】
投写部１５は、ライトバルブ駆動部２０、光源２１、光変調装置としての３つの液晶ライトバルブ２２Ｒ，２２Ｇ，２２Ｂ、投写光学系２３等を備えて構成されている。投写部１５は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写してスクリーン４に画像を表示する。
【００３８】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００３９】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００４０】
ライトバルブ駆動部２０は、液晶ライトバルブ２２Ｒ，２２Ｇ，２２Ｂの画像形成領域２２ｉに画像を形成する。具体的には、ライトバルブ駆動部２０は、画像情報処理部１４から入力される画像情報に応じた駆動電圧を、画像形成領域２２ｉの各画素に印加し、各画素を画像情報に応じた光透過率に設定する。
【００４１】
光源２１から射出された光は、液晶ライトバルブ２２Ｒ，２２Ｇ，２２Ｂの画像形成領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によってスクリーン４に拡大投写される。この結果、スクリーン４には、ＳＤカード２から読み出された画像情報に基づく画像３が表示される。
【００４２】
ＳＤカード２には、１つ又は複数の画像情報が記憶されている。さらに、ＳＤカード２には、プレイリスト情報、スケジュール情報、グループＩＤ等が記憶されている。プレイリスト情報は、再生対象の画像やその再生順序等を規定するプレイリストを定めた情報であり、ＳＤカード２には、１つ又は複数のプレイリスト情報が記憶されている。なお、これ以降、プレイリストで規定されている画像を再生することは、「プレイリストを再生する」とも表記される。スケジュール情報は、各プレイリストを再生するタイミングを規定する情報であり、再生を開始する再生開始日時と再生を終了する再生終了日時等が定められている。グループＩＤは、複数のプロジェクター１からなるグループを識別する情報であり、本実施形態では、同一のグループＩＤを保持するプロジェクター１が同一のグループに属するものと判別される。
【００４３】
図３及び図４は、表示システム１００による表示方法を示すフローチャートである。図５は、プレイリストの一例を示す表であり、図６は、スケジュール情報の一例を示す表である。以下、表示方法を、図３〜図５を参照しながら説明する。本実施形態の表示システム１００は、一例として３台のプロジェクター１ａ，１ｂ，１ｃによって構成されている。
【００４４】
ユーザーが、各プロジェクター１ａ，１ｂ，１ｃの電源をＯＮにすると、各プロジェクター１ａ，１ｂ，１ｃの制御部１０は、図３に示すフローに従って動作を開始する。また、制御部１０は、電源がＯＮの間、定期的、又は不定期にこのフローに従った動作を繰り返す。
【００４５】
図３に示すように、ステップＳ１１では、プロジェクター１の制御部１０は、通信部１６を介して、他のプロジェクター１に応答を要求する。具体的には、制御部１０は、ネットワークＮＷに接続された他のプロジェクター１に対して、応答を要求する要求コマンドを発行する。この要求コマンドには、各プロジェクター１を識別するための識別情報の送信とともに、各プロジェクター１に装着されたＳＤカード２に記憶されているグループＩＤの送信を要求するコマンドも含まれている。識別情報としては、例えば、ＩＰアドレスが用いられる。
【００４６】
なお、図示は省略しているが、この要求コマンドを受信したプロジェクター１は、自分の識別情報と、ＳＤカード２に保持されているグループＩＤと、を応答情報として送信元のプロジェクター１に送信する。グループＩＤを保持していないプロジェクター１は、保持していないことを示す応答情報を送信する。ここで、本実施形態のすべてのプロジェクター１には、画像情報、プレイリスト情報、スケジュール情報、グループＩＤについて、同じ情報を有するＳＤカード２が装着されている。言い換えれば、すべてのＳＤカード２には、同じ情報がコピーされている。
【００４７】
ステップＳ１２では、プロジェクター１の通信部１６は、他のプロジェクター１から送信される応答情報を受信する。具体的には、プロジェクター１は、他のプレジェクター１から送信された識別情報及びグループＩＤを順次受信する。
【００４８】
ステップＳ１３では、プロジェクター１の制御部１０は、同じグループのプロジェクター１を登録する。具体的には、各プロジェクター１は、通信部１６を介して応答情報を受信し、自分と同一のグループＩＤを保持しているプロジェクター１を同一のグループとして図示しない登録リストに登録する。登録リストは、記憶部１１に記憶されており、この登録リストには、自分の識別情報が予め登録されている。
【００４９】
ステップＳ１４では、プロジェクター１の制御部１０は、登録したプロジェクター１を識別情報に基づいてソートする。具体的には、制御部１０は、同じグループＩＤを保持しているプロジェクター１において、ＩＰアドレスを構成する数字の大小に基づいてプロジェクター１ａ，１ｂ，１ｃを並び替える。その結果、ソート後の順序が先頭のプロジェクター１がマスター機となる。
【００５０】
なお、各プロジェクターをソートするための識別情報としては、ＩＰアドレスに限定されず、例えば、ＭＡＣアドレスや、ユーザーによって付与された名称などでもよく、これらに基づいてソートを行うようにしてもよい。
【００５１】
ステップＳ１５では、プロジェクター１の制御部１０は、自分がマスター機であるか否かを判定する。マスター機と判定されれば、ステップＳ１６に処理を移行する。マスター機と判定されなければ、図４に示す、ステップＳ３１に処理を移行する。マスター機と判定されなかったプロジェクターは、スレーブ機となる。ここまでのステップは、すべてのプロジェクター１で共通して実行されるため、ソート後の登録リストもすべてのプロジェクター１で共通である。このため、すべてのプロジェクター１は、どのプロジェクター１がマスター機でどのプロジェクター１がスレーブ機なのかを自分の登録リストに基づいて判別することができる。本実施形態では、第１プロジェクター１ａがマスター機と判定され、第２プロジェクター１ｂ及び第３プロジェクター１ｃがスレーブ機と判定されたものとする。
【００５２】
ステップＳ１６では、マスター機と判定された第１プロジェクター１ａの制御部１０は、ＳＤカード２に記憶されているスケジュール情報を読み出す。スケジュール情報とは、上述したように、画像３を投写するタイミングを規定する情報であり、何月何日の何時何分からどのプレイリストを再生したりするか等の情報が含まれている。
【００５３】
図５は、プレイリスト情報の一例を示す表である。図５に示すように、ＳＤカード２には、例えば、プレイリスト１、プレイリスト２、プレイリスト３の３つのプレイリストをそれぞれ定める３つのプレイリスト情報が記憶されており、各プレイリストには、どの画像をどのような順番で再生するかが規定されている。プレイリスト１には、動画Ａ、動画Ｂ、動画Ｃをこの順序で再生することが規定され、プレイリスト２には、動画Ｄのみを再生することが規定され、 プレイリスト３には、動画Ｅ、動画Ｆ、動画Ａ、動画Ｂをこの順序で再生することが規定されている。ＳＤカード２には、これらの動画に対応する画像情報が別途記憶されている。なお、これらのプレイリストは、ユーザーが決めるようにしても良いし、コンピューターによってランダムに決めるようにしても良い。また、プレイリストによって規定される画像は、動画に限定されず、静止画であってもよい。また、プロジェクター１が音声を再生可能な構成の場合には、プレイリストに音声が含まれていてもよい。
【００５４】
図６は、スケジュール情報の一例を示す表である。図６に示すように、スケジュール情報には、日時に応じて自動で再生する１つ又は複数のプレイリストが登録されており、各プレイリストを再生すべき日時である再生開始日時と、各プレイリストの再生を終了すべき日時である再生終了日時とが規定されている。マスター機と判定された第１プロジェクター１ａの制御部１０は、このスケジュール情報に基づいて、各プレイリストの再生の開始と終了とを制御する。
【００５５】
ステップＳ１７では、第１プロジェクター１ａの制御部１０は、読み出したスケジュール情報と、計時部１７から入力される時刻情報とに基づいて、現在の日時が、いずれかのプレイリストの再生開始日時に達しているか否かを判定する。現在の日時がプレイリストの再生開始日時に達していれば、ステップＳ１８に処理を移行する。再生開始日時に達していなければ、ステップＳ１７の処理を繰り返し行う。
【００５６】
ステップＳ１８では、第１プロジェクター１ａの制御部１０は、通信部１６を介して、スレーブ機である第２プロジェクター１ｂ及び第３プロジェクター１ｃに同期信号を出力する。ここでの同期信号は、プレイリストの再生を開始するための開始信号である。
【００５７】
ステップＳ１９では、第１プロジェクター１ａの制御部１０は、スレーブ機と同じタイミングでプレイリストが再生されるよう、送信した同期信号に同期させてプレイリストの再生を開始する。具体的には、制御部１０は、プレイリストに規定されている再生対象の動画の画像情報をＳＤカード２からインターフェイス１３を介して読み出し、同期信号に同期させて画像情報処理部１４に出力する。この結果、投写部１５から画像情報に基づく画像３の投写、即ち動画の再生が開始される。１つの動画の再生が終了すると、制御部１０は、プレイリスト情報に従って次の動画の画像情報をＳＤカード２から読み出して再生を開始する。そして、次の動画がない場合、即ちプレイリストの最後の動画の再生が終了した場合には、プレイリストの先頭の動画の再生を開始する。制御部１０は、スケジュール情報で規定された再生終了日時になるまでこの動作を繰り返す。
【００５８】
ステップＳ２０では、第１プロジェクター１ａの制御部１０は、スケジュール情報と、時刻情報とに基づいて、現在の日時が、プレイリストの再生終了日時に達しているか否かを判定する。現在の日時が再生終了日時に達していると判定されれば、ステップＳ２１に処理を移行する。再生終了日時に達していなければ、ステップＳ２０の処理を繰り返し行う。
【００５９】
ステップＳ２１では、第１プロジェクター１ａの制御部１０は、通信部１６を介して、第２プロジェクター１ｂ及び第３プロジェクター１ｃに同期信号を出力する。ここでの同期信号は、プレイリストの再生を終了するための終了信号である。
【００６０】
ステップＳ２２では、第１プロジェクター１ａの制御部１０は、スレーブ機と同じタイミングでプレイリストの再生が終了するよう、送信した同期信号に同期させてプレイリストの再生を終了する。
【００６１】
ステップＳ２３では、第１プロジェクター１ａの制御部１０は、スケジュール情報に登録されている全てのプレイリストの再生が終了したか否かを判定する。全てのプレイリストの再生が終了していれば、フローを終了する。終了していなければ、ステップＳ１７に処理を移行する。
【００６２】
図４に示すように、ステップＳ３１では、ステップＳ１６において、自分がマスター機でないと判定されたプロジェクター１、即ちスレーブ機である第２プロジェクター１ｂ及び第３プロジェクター１ｃの制御部１０は、各ＳＤカード２に記憶されているスケジュール情報を読み出す。制御部１０は、読み出したスケジュール情報に基づいて、次に再生すべきプレイリストを認識する。
【００６３】
ステップＳ３２では、第２プロジェクター１ｂ及び第３プロジェクター１ｃの制御部１０は、第１プロジェクター１ａから送信される、プレイリストの再生を開始するための同期信号を、通信部１６によって受信したか否かを判定する。受信したと判定された場合、ステップＳ３３に処理を移行する。受信していないと判定された場合、ステップＳ４１に処理を移行する。
【００６４】
ステップＳ３３では、第２プロジェクター１ｂ及び第３プロジェクター１ｃの制御部１０は、マスター機と同じタイミングでプレイリストが再生されるよう、受信した同期信号に同期させてプレイリストの再生を開始する。ステップＳ３２において、第２プロジェクター１ｂ及び第３プロジェクター１ｃは、第１プロジェクター１ａから開始の同期信号を受信している。よって、第１プロジェクター１ａ〜第３プロジェクター１ｃが同じタイミングでプレイリストを同期再生することができる。即ち、全てのプロジェクター１ａ，１ｂ，１ｃが同じ画像３を同じタイミングで再生する。
【００６５】
ステップＳ３４では、第２プロジェクター１ｂ及び第３プロジェクター１ｃの制御部１０は、第１プロジェクター１ａから送信された、プレイリストの再生を終了するための同期信号を通信部１６が受信したか否かを判定する。受信していれば、ステップＳ３５に処理を移行する。受信してなければ、ステップＳ４２に処理を移行する。
【００６６】
ステップＳ３５では、第２プロジェクター１ｂ及び第３プロジェクター１ｃの制御部１０は、マスター機と同じタイミングでプレイリストの再生が終了するよう、受信した同期信号に同期させてプレイリストの再生を終了する。ステップＳ３４において、第２プロジェクター１ｂ及び第３プロジェクター１ｃは、第１プロジェクター１ａから再生を終了するための同期信号を受信している。よって、第１プロジェクター１ａ〜第３プロジェクター１ｃが同じタイミングでプレイリストの再生を終了することができる。
【００６７】
ステップＳ３６では、第２プロジェクター１ｂ及び第３プロジェクター１ｃの制御部１０は、スケジュール情報に登録されている全てのプレイリストの再生が終了したか否かを判定する。全てのプレイリストの再生が終了していれば、フローを終了する。終了していなければ、ステップＳ３２に処理を移行する。
【００６８】
ステップＳ３２において、プレイリストを開始するための同期信号が受信されずにステップＳ４１に処理が移行した場合には、第２プロジェクター１ｂ及び第３プロジェクター１ｃの制御部１０は、自分が保有するスケジュール情報に基づいて、再生開始日時から所定時間が経過したか否かを判定する。所定時間が経過していれば、マスター機に異常が生じたと判断し、ステップＳ１１に処理を移行し、再度ネットワークＮＷに繋がっている同一グループのプロジェクター１の中からマスター機を選定し直す。このようになる場合の一例としては、マスター機である第１プロジェクター１ａが故障している場合や、電源がオフの場合、ネットワークＮＷから離脱した場合などが挙げられる。所定時間が経過していなければ、ステップＳ３２に処理を移行する。なお、マスター機を設定し直して、同期再生ができるようになった場合は、再生する時間が過ぎていても、プレイリストが終了するまでの時間は同期再生を開始する。
【００６９】
ステップＳ３４において、プレイリストを終了するための同期信号が受信されずにステップＳ４２に処理が移行した場合には、第２プロジェクター１ｂ及び第３プロジェクター１ｃの制御部１０は、自分のスケジュール情報に基づいて、再生終了日時から所定時間が経過したか否かを判定する。所定時間が経過していれば、マスター機に異常が生じたと判断し、ステップＳ４３に処理を移行。所定時間が経過していなければ、ステップＳ３４に処理を移行する。
【００７０】
ステップＳ４３では、第２プロジェクター１ｂ及び第３プロジェクター１ｃの制御部１０は、プレイリストの再生を終了し、ステップＳ１１に処理し、再度ネットワークＮＷに繋がっている同一グループのプロジェクター１の中からマスター機を選定し直す。
【００７１】
以上説明したように、本実施形態のプロジェクター１、表示システム１００、及び表示方法によれば、以下の効果を得ることができる。
【００７２】
（１）本実施形態によれば、第１プロジェクター１ａ〜第３プロジェクター１ｃのＳＤカード２に、グループＩＤが記憶されているので、グループＩＤに基づいて、ネットワーク上で同期再生する同じグループとして識別することができる。更に、グループの中から自動でマスター機及びスレーブ機を決定するので、例えば、同期して再生するプロジェクター１の組合せが変更になった場合でも、ユーザーがプロジェクター１を指定し直すような煩雑な作業を省略することが可能となり、ユーザーの利便性を向上させることができる。
【００７３】
（２）本実施形態によれば、マスター機に異常が生じて、スレーブ機に同期信号が送信されない場合でもマスター機及びスレーブ機を設定し直すので、マスター機の異常によって、表示システム１００の全てのプロジェクター１から画像３が投写されなくなることを防ぐことができる。
【００７４】
（３）本実施形態によれば、同期信号に基づいてプレイリストの再生を開始するため、各プロジェクターが保持する時刻にずれが生じていても、同じタイミングで再生を開始することが可能となる。
【００７５】
なお、本実施形態において、各プロジェクター１ａ，１ｂ，１ｃは、第１表示装置に相当し、各プロジェクター１ａ，１ｂ，１ｃから見て、自分以外のプロジェクター１は、第２表示装置及び他の表示装置に相当する。そして、第１表示装置に相当するプロジェクター１に関係するインターフェイス１３、ＳＤカード２、グループＩＤ、画像情報、画像３、同期信号が、それぞれ第１インターフェイス、第１記憶装置、第１識別子、第１画像情報、第１画像、第１同期信号に相当する。また、第２表示装置に相当するプロジェクター１に関係するインターフェイス１３、ＳＤカード２、グループＩＤ、画像情報、画像３、同期信号が、それぞれ第２インターフェイス、第２記憶装置、第２識別子、第２画像情報、第２画像、第２同期信号に相当する。
【００７６】
（変形例）
また、上記実施形態は、以下のように変更してもよい。
【００７７】
上記した実施形態では、ＳＤカード２に記憶されているスケジュール情報に従ってプレイリストを再生する態様を示したが、これに限定されない。例えば、入力操作部１２を用いたユーザーの指示に基づいてプレイリストを再生する態様であってもよい。
【００７８】
まず、ユーザーが、任意の１台のプロジェクター１の入力操作部１２でプレイリストを再生する命令を発信する。具体的には、ユーザーは、入力操作部１２に備わる数字キーのうち、再生したいプレイリストに対応する数字キーを操作する。次に、操作を受けたプロジェクター１は、自分がマスター機であるか否かを判定し、マスター機であれば、スレーブ機のプロジェクター１に、操作された数字キーを伝達した後で、プレイリストの再生を開始するための同期信号を送信する。マスター機及びスレーブ機は、この同期信号に同期して、操作された数字キーに対応するプレイリストの再生を開始する。一方、操作を受け付けたプロジェクター１がスレーブ機の場合には、スレーブ機は、マスター機に操作された数字キーを伝達する。その後、マスター機が、操作された数字キーを各スレーブ機に伝達し、同期信号を送信すると、マスター機及びスレーブ機は、この同期信号に同期して、操作された数字キーに対応するプレイリストの再生を開始する。これにより、マスター機とスレーブ機によって、同じプレイリストを同期再生することができる。
【００７９】
上記した実施形態では、表示システム１００を構成するプロジェクターの台数を３台としているが、これに限定されず、２台でも、４台以上であってもよい。また、１０台や２０台の単位で表示システムを構成するようにしてもよい。
【００８０】
上記した実施形態では、記憶装置として、記憶媒体であるＳＤカードを用いているが、これに限定されず、ＵＳＢメモリーなど他の記憶媒体を用いるようにしてもよい。また、外付けの記憶装置をプロジェクター１に接続して用いるようにしてもよいし、プロジェクター１が備える記憶部１１を記憶装置として利用してもよい。
【００８１】
上記した実施形態では、表示システム１００において、すべてのプロジェクター１が同じ動画を再生する態様を示したが、同じ動画であることに限定されず、例えば、関連コンテンツ、即ち、異なる動画を再生するようにしてもよい。また、複数のプロジェクター１を、投写される画像３が左右方向に並ぶように配置して、それぞれから異なる画像を投写することにより、通常よりも横長の画像を再生することもできる。
【００８２】
上記した実施形態では、プレイリストが終了する毎に同期信号の送受信を行っているが、これに限定されず、１つの動画ごとに同期信号の送受信を行うようにしてもよいし、全てのプレイリストが終了した段階で同期信号の送受信を行うようにしてもよい。
【００８３】
上記した実施形態では、ＳＤカードにグループＩＤを保有しているが、これに限定されず、プロジェクター１の記憶部１１にグループＩＤを保有するようにしてもよい。
【００８４】
上記した実施形態では、同期再生するプロジェクターを判別するために、グループＩＤを保有していたが、これに限定されず、グループＩＤを保有していなかったら同期させる、また、同一のネットワークＮＷ上にあればグループＩＤがなくても同期させる、というように設定してもよい。
【００８５】
また、自分のグループＩＤとは異なるグループＩＤであっても、自分のグループＩＤと対応するグループＩＤであれば、同じグループと判断して同期再生するようにしてもよい。例えば、“Ａ１”、“Ａ２”のようにグループＩＤが異なっていても、グループＩＤの先頭が“Ａ”のプロジェクター１を同じグループと判断することもできる。
【００８６】
また、グループＩＤとは別に、同期再生を行うか否かを示す同期フラグをＳＤカード２に記憶するようにして、同じグループＩＤを有し、且つ同期フラグが同期再生を行うことを示しているプロジェクター１を同期再生の対象としてもよい。
【００８７】
また、スケジュール情報に登録されているプレイリスト毎に同期再生するかを指定する ようにしてもよい。これによれば、例えば、いくつかの店舗において、開店直後は同じ動画を同期再生し、以降は、店舗ごとに異なる動画を再生するようにする。そして、閉店前に再び全店舗同じ動画を同期再生することが可能となる。
【００８８】
上記した実施形態では、同じグループＩＤを保持しているプロジェクター１において、ＩＰアドレスを構成する数字の大小に基づいて先頭のプロジェクター１がマスター機になるとしたが、これに限定されず、後尾のプロジェクター１がマスター機になるようにしてもよい。即ち、ユーザーが指定した規則でソートし、ユーザーが指定した順番のプロジェクター１がマスター機となるようにしてもよい。
【００８９】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００９０】
上記実施形態では、表示装置の一例として、プロジェクター１について説明しているが、表示装置はプロジェクター１に限定されず、液晶ディスプレイや有機ＥＬ（Electro Luminescence）ディスプレイ等、他の画像表示装置であってもよい。
【００９１】
以下に、実施形態から導き出される内容を記載する。
【００９２】
表示装置は、第１画像情報及び第１識別子を記憶する第１記憶装置が接続されるインターフェイスと、前記第１画像情報に基づく第１画像を表示する表示部と、第２画像情報を記憶する第２記憶装置を有する他の表示装置とネットワークを介して接続され、前記他の表示装置と通信を行う通信部と、前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記他の表示装置による前記第２画像情報に基づく第２画像の表示と、を同期させる制御部と、を備えたことを特徴とする。
【００９３】
この構成によれば、この表示装置と同期して画像を表示する他の表示装置として、第２記憶装置に第１識別子に対応する第２識別子が記憶されている表示装置が選択されるため、第２識別子を第２記憶装置に記憶させれば、表示装置を選択する操作が不要となり、ユーザーの利便性を向上させることができる。
【００９４】
上記の表示装置において、前記制御部は、前記第２識別子が前記第１識別子と同一の場合に、前記第１画像の表示と前記第２画像の表示とを同期させることが望ましい。
【００９５】
この構成によれば、第１識別子と第２識別子とが同一であれば表示装置による画像の表示を同期させるので、表示装置を選択する操作が不要となり、ユーザーの利便性を向上させることができる。
【００９６】
上記の表示装置において、前記制御部は、前記表示装置がマスター機であるかスレーブ機であるかを決定し、前記表示装置が前記マスター機である場合には、前記通信部から前記他の表示装置に第１同期信号を送信させるとともに、前記第１同期信号に同期して前記表示部に前記第１画像を表示させ、前記表示装置が前記スレーブ機である場合には、前記他の表示装置から前記通信部に送信される第２同期信号に同期して、前記表示部に前記第１画像を表示させることが望ましい。
【００９７】
この構成によれば、マスター機であるかスレーブ機であるかによって同期信号の送受信を変更するので、表示装置による第１画像の表示と、他の表示装置による第２画像の表示と、を適切に同期させることができる。
【００９８】
上記の表示装置において、前記第１記憶装置及び前記第２記憶装置には、前記第１画像及び前記第２画像を表示するタイミングを規定するスケジュール情報が記憶されており、前記表示装置が前記マスター機である場合に、前記制御部は、前記スケジュール情報に基づいて前記表示部に前記第１画像を表示させるとともに、前記スケジュール情報に基づいて前記第１同期信号を前記他の表示装置に送信することが望ましい。
【００９９】
この構成によれば、表示装置がマスター機である場合、スケジュール情報に基づいて第１画像を表示するとともに、第１同期信号を他の表示装置に送信するので、表示装置と他の表示装置とを、予め定められたタイミングで同期させて画像を表示させることができる。
【０１００】
上記の表示装置において、前記表示装置が前記スレーブ機である場合であって、前記スケジュール情報に基づくタイミングで前記他の表示装置から前記第２同期信号が送信されない場合に、前記制御部は、前記表示装置が前記マスター機であるか前記スレーブ機であるかを決定し直すことが望ましい。
【０１０１】
この構成によれば、表示装置がスレーブ機である場合であって、他の表示装置から同期信号が送信されてこない場合、表示装置がマスター機かスレーブ機かを決定し直すので、マスター機が故障したり、ネットワークから離脱されたりした場合でも、それ以外の表示装置で表示の同期を行うことができる。
【０１０２】
表示システムは、ネットワークを介して接続された第１表示装置及び第２表示装置を含む表示システムであって、前記第１表示装置は、第１画像情報及び第１識別子を記憶する第１記憶装置が接続される第１インターフェイスを有し、前記第２表示装置は、第２画像情報を記憶する第２記憶装置が接続される第２インターフェイスを有し、前記第１表示装置は、前記第１画像情報に基づく第１画像を表示する表示部と、前記第２表示装置と前記ネットワークを介して通信を行う通信部と、前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記第２表示装置による前記第２画像情報に基づく第２画像の表示とを同期させる制御部と、を備えることを特徴とする。
【０１０３】
この構成によれば、第１表示装置と同期して画像を表示する表示装置として、第２記憶装置に第２識別子が記憶されている第２表示装置が選択されるため、第２識別子を第２記憶装置に記憶させれば、第２表示装置を選択する操作が不要となり、ユーザーの利便性を向上させることができる。
【０１０４】
上記の表示システムにおいて、前記制御部は、前記第２識別子が前記第１識別子と同一の場合に、前記第１画像の表示と前記第２画像の表示とを同期させることが望ましい。
【０１０５】
この構成によれば、第１識別子と第２識別子とが同一であれば、第１表示装置による第１画像の表示と、第２表示装置による第２画像の表示と、を同期させるので、表示装置を選択する操作が不要となり、ユーザーの利便性を向上させることができる。
【０１０６】
上記の表示システムにおいて、前記制御部は、前記第１表示装置がマスター機であるかスレーブ機であるかを決定し、前記第１表示装置が前記マスター機である場合には、前記通信部から前記第２表示装置に第１同期信号を送信させるとともに、前記第１同期信号に同期して前記表示部に前記第１画像を表示させ、前記第１表示装置が前記スレーブ機である場合には、前記第２表示装置から前記通信部に送信される第２同期信号に同期して、前記表示部に前記第１画像を表示させることが望ましい。
【０１０７】
この構成によれば、マスター機であるかスレーブ機であるかによって同期信号の送受信を変更するので、表示装置による第１画像の表示と、他の表示装置による第２画像の表示と、を適切に同期させることができる。
【０１０８】
上記の表示システムにおいて、前記第１記憶装置及び前記第２記憶装置には、前記第１画像及び前記第２画像を表示するタイミングを規定するスケジュール情報が記憶されており、前記第１表示装置が前記マスター機である場合に、前記制御部は、前記スケジュール情報に基づいて前記表示部に前記第１画像を表示させるとともに、前記スケジュール情報に基づいて前記第１同期信号を前記第２表示装置に送信することが望ましい。
【０１０９】
この構成によれば、表示装置がマスター機である場合、スケジュール情報に基づいて第１画像を表示するとともに、第１同期信号を他の表示装置に送信するので、表示装置と他の表示装置とを、予め定められたタイミングで同期させて画像を表示させることができる。
【０１１０】
上記の表示システムにおいて、前記第１表示装置が前記スレーブ機である場合であって、前記スケジュール情報に基づくタイミングで前記第２表示装置から前記第２同期信号が送信されない場合に、前記制御部は、前記第１表示装置が前記マスター機であるか前記スレーブ機であるかを決定し直すことが望ましい。
【０１１１】
この構成によれば、表示装置がスレーブ機である場合であって、他の表示装置から同期信号が送信されてこない場合、表示装置がマスター機かスレーブ機かを決定し直すので、マスター機が故障したり、ネットワークから離脱されたりした場合でも、それ以外の表示装置で表示の同期を行うことができる。
【０１１２】
表示方法は、第１画像情報及び第１識別子を記憶する第１記憶装置が接続され、第２画像情報を記憶する第２記憶装置を有する他の表示装置とネットワークを介して通信を行い、前記第１識別子に対応する第２識別子が前記第２記憶装置に記憶されているか否かを判別し、前記第２識別子が前記第２記憶装置に記憶されている場合に、前記第１画像情報に基づく第１画像の表示と、前記他の表示装置による前記第２画像情報に基づく第２画像の表示とを同期させることを特徴とする。
【０１１３】
この方法によれば、この表示装置と同期して画像を表示する他の表示装置として、第２記憶装置に第２識別子が記憶されている表示装置が選択されるため、第２識別子を第２記憶装置に記憶させれば、表示装置を選択する操作が不要となり、ユーザーの利便性を向上させることができる。
【０１１４】
上記の表示方法において、前記第２識別子が前記第１識別子と同一の場合に、前記第１画像の表示と前記第２画像の表示とを同期させることが望ましい。
【０１１５】
この方法によれば、第１識別子と第２識別子とが同一であれば表示装置による画像の表示を同期させるので、表示装置を選択する操作が不要となり、ユーザーの利便性を向上させることができる。
【０１１６】
上記の表示方法において、前記表示装置がマスター機であるかスレーブ機であるかを決定し、前記表示装置が前記マスター機である場合には、前記他の表示装置に第１同期信号を送信させるとともに、前記第１同期信号に同期して前記第１画像を表示させ、前記表示装置が前記スレーブ機である場合には、前記他の表示装置から送信される第２同期信号に同期して、前記第１画像を表示させることが望ましい。
【０１１７】
この方法によれば、マスター機であるかスレーブ機であるかによって同期信号の送受信を変更するので、表示装置による第１画像の表示と、他の表示装置による第２画像の表示と、を適切に同期させることができる。
【０１１８】
上記の表示方法において、前記第１記憶装置及び前記第２記憶装置には、前記第１画像及び前記第２画像を表示するタイミングを規定するスケジュール情報が記憶されており、前記表示装置が前記マスター機である場合に、前記スケジュール情報に基づいて前記第１画像を表示させるとともに、前記スケジュール情報に基づいて前記第１同期信号を前記他の表示装置に送信することが望ましい。
【０１１９】
この方法によれば、表示装置がマスター機である場合、スケジュール情報に基づいて第１画像を表示するとともに、第１同期信号を他の表示装置に送信するので、表示装置と他の表示装置とを、予め定められたタイミングで同期させて画像を表示させることができる。
【０１２０】
上記の表示方法において、前記表示装置が前記スレーブ機である場合であって、前記スケジュール情報に基づくタイミングで前記他の表示装置から前記第２同期信号が送信されない場合に、前記表示装置が前記マスター機であるか前記スレーブ機であるかを決定し直すことが望ましい。
【０１２１】
この方法によれば、表示装置がスレーブ機である場合であって、他の表示装置から同期信号が送信されてこない場合、表示装置がマスター機かスレーブ機かを決定し直すので、マスター機が故障したり、ネットワークから離脱されたりした場合でも、それ以外の表示装置で表示の同期を行うことができる。
【符号の説明】
【０１２２】
１…プロジェクター、１ａ…第１プロジェクター、１ｂ…第２プロジェクター、１ｃ…第３プロジェクター、２…第１記憶装置及び第２記憶装置としてのＳＤカード、３…画像、４，４ａ，４ｂ，４ｃ…スクリーン、５…カードスロット、１０…制御部、１１…記憶部、１２…入力操作部、１３…インターフェイスとしての画像情報入力部、１４…画像情報処理部、１５…投写部、１６…通信部、１７…計時部、２０…ライトバルブ駆動部、２１…光源、２２Ｒ，２２Ｇ，２２Ｂ…液晶ライトバルブ、２２ｉ…画像形成領域、２３…投写光学系、１００…表示システム。
【図１】
2020106580.tif 000003
【図２】
2020106580.tif 000004
【図３】
2020106580.tif 000005
【図４】
2020106580.tif 000006
【図５】
2020106580.tif 000007
【図６】
2020106580.tif 000008